(57)【要約】【課題】  定格荷重分のテストウェートを特に準備することなく、容易かつ簡単にはかりの調整を行なうこと。【解決手段】  エレベータ装置１０はエレベータ枠１１と、エレベータ枠１１に防振ゴム１３を介して支持されたエレベータかご室１２と、エレベータ枠１１の底部１１ａに設けられエレベータかご室１２の積載荷重を測定するはかり１５とを備えている。エレベータかご室１２の底部１２ａに固定用ボルト１６が設けられ、この固定用ボルト１６はエレベータ枠１１を貫通して摺動可能になっている。固定ボルト１８に調整用ナット１９が設けられ、固定ボルト１６の外周にエレベータ枠１１と調整用ナット１９との間で圧縮されるスプリング１８が設けられている。【選択図】  図１
2005194028.tif 000002
【特許請求の範囲】
【請求項１】
エレベータ枠と、
エレベータ枠に防振ゴムを介して支持されたエレベータかご室と、
エレベータ枠の底部に設けられ、エレベータかご室の積載荷重を測定するはかりと、
エレベータかご室の底部に設けられるとともに、エレベータ枠に対して摺動自在となる固定用ボルトと、
固定用ボルトの下方部分に取付けられた調整用ナットと、
固定用ボルトに巻付けられ、エレベータ枠と調整用ナットとの間に配置されたスプリングとを備えたことを特徴とするエレベータ装置。
【請求項２】
固定用ボルトは、エレベータかご室の底部に取外自在に設けられていることを特徴とするエレベータ装置。
【発明の詳細な説明】
【技術分野】
【０００１】
本発明はエレベータ枠と、エレベータ枠に防振ゴムを介して支持されたエレベータかご室と、エレベータかご室の積載荷重を測定するはかりとを有するエレベータ装置に係り、とりわけ、はかりの調整を容易に行なうことができるエレベータ装置に関する。
【背景技術】
【０００２】
従来よりエレベータ装置として、エレベータ枠と、エレベータ枠に防振ゴムを介して支持されたエレベータかご室と、エレベータかご室の積載荷重を測定するはかりとを有するものが知られている。
【０００３】
このようなエレベータ装置において、はかりの調整を行なう場合、テストウェートを定格積載荷重分用意し、このテストウェートをエレベータかご室内に載置している。
【発明の開示】
【発明が解決しようとする課題】
【０００４】
しかしながら、はかりの調整を行なう場合、テストウェートを定格積載荷重分用意することは煩雑である。
【０００５】
本発明はこのような点を考慮してなされたものであり、テストウェートを用意することなく、容易かつ簡単にはかりの調整を行なうことができるエレベータ装置を提供することを目的とする。
【課題を解決するための手段】
【０００６】
本発明は、エレベータ枠と、エレベータ枠に防振ゴムを介して支持されたエレベータかご室と、エレベータ枠の底部に設けられ、エレベータかご室の積載荷重を測定するはかりと、エレベータかご室の底部に設けられるとともに、エレベータ枠に対して摺動自在となる固定用ボルトと、固定用ボルトの下方部分に取付けられた調整用ナットと、固定用ボルトに巻付けられ、エレベータ枠と調整用ナットとの間に配置されたスプリングとを備えたことを特徴とするエレベータ装置である。
【０００７】
固定用ボルトは、エレベータかご室の底部に取外自在に設けられていることを特徴とするエレベータ装置である。
【発明の効果】
【０００８】
以上説明したように、本発明によれば、定格荷重分のテストウェートを特に準備することなく、容易かつ簡単にはかりの調整を行なうことができる。
【発明を実施するための最良の形態】
【０００９】
以下、図面を参照して本発明の実施の形態について説明する。図１および図２は本発明によるエレベータ装置の一実施の形態を示す図である。
【００１０】
図１および図２に示すように、エレベータ装置１０はエレベータ枠１１と、エレベータ枠１１に防振ゴム１３を介して支持されたエレベータかご室１２と、エレベータ枠１１の底部１１ａに設けられエレベータかご室１２の積載荷重を測定するはかり１５とを備えている。
【００１１】
またエレベータかご室１２の底部１２ａに銅製の固定用ボルト１６が設けられている。この固定用ボルト１６はエレベータ枠１１の底部１１ａを貫通して延びて、この底部１１ａに対して摺動可能となっている。また固定用ボルト１６は外ねじを有し、エレベータ枠１１の底部１１ａを貫通して配置され、エレベータかご１２室の底部１２ａに設けられたねじ穴１２ｂ内に螺着されている。
【００１２】
また固定用ボルト１６の下部には調整用ナット１９が螺着されている。さらにこの調整用ナット１９とエレベータ枠１１の底部１１ａとの間に、固定用ボルト１６外周に巻付けられた鋼製圧縮スプリング１８が配置されている。
【００１３】
図２において、調整用ナット１９をねじ込むことにより、スプリング１８が圧縮され、エレベータ枠１１に対してエレベータかご室１２を下方へ押圧する。このことにより、防振ゴム１３を圧縮させるとともに、はかり１５にエレベータかご室１２の所望の荷重を加えることができるようになっている。
【００１４】
ところで、上述した構成のうち、防振ゴム１３と、固定用ボルト１６と、スプリング１８と、調整用ナット１９とはセットとして組を構成し、４組の防振ゴム１３と固定用ボルト１６とスプリング１８と調整用ナット１９とがエレベータ枠１１に設けられている。
【００１５】
次にこのような構成からなる本実施の形態の作用について説明する。  
エレベータ装置１０についてはかり１５の調整を図る場合、まず固定用ボルト１８をエレベータ枠１１の底部１１ａに設けられた貫通孔１１ｂを通して下方から上方へ挿入する。
【００１６】
次に固定用ボルト１８をエレベータかご室１２の底部１２ａのねじ穴に螺着する。次に固定用ボルト１８の外周にスプリング１９を挿着し、固定用ボルト１８の下部に調整用ナット１９をねじ込む。
【００１７】
次に調整用ナット１９を更にねじ込むことによりスプリング１９を圧縮させ、エレベータ枠１１に対してエレベータかご室１２を下方へ向って押圧する。この場合、防振ゴム１３が圧縮され、はかり１５に対して所定の定格荷重が加えられる。
【００１８】
調整ナット１９のねじ込み量とエレベータかご室１２の押圧力とは、予め定められており、調整ナット１９のねじ込み量を調整することにより、エレベータかご室１２の押圧力を定めることができる。
【００１９】
このとき、エレベータかご室１２から所定の定格荷重をはかり１５に対して加えることができ、これによりはかり１５の調整を容易かつ簡単に行なうことができる。従って定格荷重分のテストウェートを準備することなく、容易かつ簡単にはかり１５の調整を行なうことができる。
【００２０】
なお、上記実施の形態において、４組の防振ゴム１３と固定用ボルト１６とスプリング１８と調整用ナット１９を設けた例を示したが、防振ゴム１３と固定用ボルト１６とスプリング１８と調整用ナット１９の組は４つに限られることなく、６つあるいは８つの組を設けてもよい。
【図面の簡単な説明】
【００２１】
【図１】本発明によるエレベータ装置に示す概略図。
【図２】本発明によるエレベータ装置の拡大図。
【符号の説明】
【００２２】
１０  エレベータ装置
１１  エレベータ枠
１２  エレベータかご室
１３  防振ゴム
１５  はかり
１６  固定用ボルト
１８  スプリング
１９  調整用ナット
【図１】
2005194028.tif 000003
【図２】
2005194028.tif 000004